(57)【要約】 【課題】  液体から機械加工粉を効果的に除去することができる回転ドラム型磁気分離装置を提供する。【解決手段】  磁気分離装置は、内部に液体を溜めうる液溜め部を有する本体と、該液溜め部に溜められた液体に少なくとも一部を浸漬させ液溜め部１ａの底板３との間に所定の間隔を隔てて回転可能に配置された非磁性材料からなる回転ドラム４と、複数の磁石よりなる磁石層５が外周面に形成され回転ドラム４の内部に配置された内筒６とを備える。回転ドラム４の外周面と接触する液体中に含まれる磁性体を、磁石層５の磁力を用いて該液体中から分離回収する。磁性体の大きさに合わせて、回転ドラム４と液溜め部１ａの底板３との間の磁場積を調整するよう構成されている。【選択図】  図１
2015073956.tif 000002
【特許請求の範囲】
【請求項１】
内部に液体を溜めうる液溜め部を有する本体と、該液溜め部に溜められた液体に少なくとも一部を浸漬させ前記液溜め部の壁面との間に所定の間隔を隔てて回転可能に配置された非磁性材料からなる回転ドラムと、複数の磁石よりなる磁石層が外周面に形成され該回転ドラムの内部に配置された内筒とを備え、該回転ドラムの外周面と接触する液体中に含まれる磁性体を、該磁石層の磁力を用いて該液体中から分離回収する回転ドラム型磁気分離装置であって、
前記磁性体の大きさに合わせて、前記回転ドラムと前記液溜め部の前記壁面との間の磁場積を調整するよう構成されていることを特徴とする回転ドラム型磁気分離装置。
【請求項２】
前記回転ドラムと対向する前記壁面における磁場積を、前記磁性体を捕集し得る程度の磁場積以上とするよう構成されている請求項１記載の回転ドラム型磁気分離装置。
【請求項３】
前記磁石層は、前記内筒の半径方向を磁極方向とし該半径方向外側にＮ極が向いた複数の第一の磁石と、各該第一の磁石間に配置され該内筒の半径方向を磁極方向とし該半径方向内側にＮ極が向いた複数の第二の磁石と、該第一の磁石と該第二の磁石との間に配置され該内筒の周方向を磁極方向とし該周方向の一方側かつ該第一の磁石側にＮ極が向いた複数の第三の磁石と、該第一の磁石と該第二の磁石との間に配置され該内筒の周方向を磁極方向とし該周方向の他方側かつ該第一の磁石側にＮ極が向いた複数の第四の磁石と、が該内筒の周方向にハルバッハ配列で並ぶことにより形成されている請求項１又は２に記載の回転ドラム型磁気分離装置。
【請求項４】
前記第一の磁石と前記第二の磁石とが互いに周方向で同じ幅ＨＡをもち、前記第三の磁石と前記第四の磁石とが互いに周方向で同じ幅ＨＢをもち、前記各第三の磁石と前記各第四の磁石の周方向の幅ＨＢに対する、前記各第一の磁石と前記各第二の磁石の周方向の幅ＨＡの比率（ＨＡ／ＨＢ）は、１／４以上である請求項３記載の回転ドラム型磁気分離装置。
【請求項５】
前記第一の磁石と前記第二の磁石と前記第三の磁石と前記第四の磁石は、前記内筒の半径方向の厚みが、互いに同じである請求項３又は４に記載の回転ドラム型磁気分離装置。
【請求項６】
前記第一の磁石、前記第二の磁石の径方向の長さに対する、前記第一の磁石、前記第二の磁石の周方向の幅の比率が０．８以上である請求項３〜５のいずれか１項に記載の回転ドラム型磁気分離装置。
【請求項７】
前記第三の磁石、前記第四の磁石の径方向の長さに対する、前記第三の磁石、前記第四の磁石の周方向の幅の比率が０．８以上である請求項３〜６のいずれか１項に記載の回転ドラム型磁気分離装置。
【請求項８】
前記第一の磁石、前記第二の磁石、前記第三の磁石及び前記第四の磁石の各形状は同一である請求項３〜７のいずれか１項に記載の回転ドラム型磁気分離装置。
【発明の詳細な説明】
【技術分野】
【０００１】
本発明は、液体中に含まれる磁性体を磁力を用いて分離回収する回転ドラム磁気分離装置に関する。
【背景技術】
【０００２】
機械加工用のクーラント又はオイルの中には、鉄系の機械加工粉が含まれている。オイル又はクーラントの中の切削屑等を磁力により除去する装置を、回転ドラム型磁気分離装置と呼んでいる。
【０００３】
例えば、図１５は、特許文献１に開示されている回転ドラム型磁気分離装置の回転ドラム４の内部構造の要部を拡大して説明する断面図を示している。この回転ドラム型磁気分離装置の概略構造は、図１に示す本発明の第一実施形態に係る回転ドラム型磁気分離装置Ｅと類似している。よって、図１における符号５を符号５Ｖに置き換えた上で、図１及び図１５を参照しつつ特許文献１に開示されている回転ドラム型磁気分離装置について説明する。
【０００４】
図１及び図１５に示すように、特許文献１に開示されている回転ドラム型磁気分離装置は、内部にクーラントなどの液体を溜め置く液溜め部１ａが設けられた箱形の本体１を備えている。液溜め部１ａを二分するように、本体１の中央部近傍に回転ドラム４が略水平方向に軸支されている。回転ドラム４は、ステンレス鋼等の非磁性材料からなる円筒体をなしている。そして、複数の第一の磁石５１Ｖ及び第二の磁石５２Ｖよりなる磁石層５Ｖが外周面に形成された内筒６が回転ドラム４の内部に同軸的に固定されている。図１５に示すように、第一の磁石５１Ｖは、内筒６の半径方向を磁極方向とし半径方向外側にＮ極が向いている。第二の磁石５２Ｖは、内筒６の半径方向を磁極方向とし半径方向内側にＮ極が向いている。そして、内筒６の外周面の周方向に第一の磁石５１Ｖと第二の磁石５２Ｖとが交互に並べられて磁石層５Ｖが形成されている。
【０００５】
図１５における磁力線Ｈに示されているように、この磁石層５Ｖは、回転ドラム４の外周面に所要の磁束を発生させるように形成されている。そして、磁石層５Ｖの磁力によって、クーラント中に含まれている切削屑Ｗ（図１参照）が回転ドラム４の外周面に磁着して、クーラントから切削屑Ｗを分離回収できるようになっている。クーラント中に含まれている切削屑Ｗを効率良く分離するためには、磁力が回転ドラム４の外周面からより遠くまで及ぶことが好ましい。そこで、一般に、内筒６は、磁性材料により形成されており、内筒６の半径方向内側よりも半径方向外側に向かう磁束が卓越するように構成されている。上記従来の回転ドラム型磁気分離装置を用いてクーラントから機械加工粉を除去してクーラントを再生して、機械加工にクーラントを繰り返し使用される。
【先行技術文献】
【特許文献】
【０００６】
【特許文献１】特開２０００−７９３５３号公報
【発明の概要】
【発明が解決しようとする課題】
【０００７】
しかしながら、再生したクーラントを繰り返し使用していると、被加工品の加工精度が悪くなり、また被加工品の研削表面が粗くなる。この場合、砥石を短期間で取り替えたり砥石を目直ししたりする必要がある。また、被加工品の表面にシューマークが発生しやすくなる。シューマークは、被加工品とシューとの間に研磨粉が噛みこまれ、被加工品の表面に形成される傷のことである。このように、従来の回転ドラム型磁気分離装置で機械加工粉を除去したオイルを用いて機械加工を行うと、加工効率が低下してしまう。
【０００８】
本発明はかかる事情に鑑みてなされたものであり、液体から機械加工粉を効果的に除去することができる回転ドラム型磁気分離装置を提供することを課題とする。
【課題を解決するための手段】
【０００９】
（１）本発明の回転ドラム型磁気分離装置は、内部に液体を溜めうる液溜め部を有する本体と、該液溜め部に溜められた液体に少なくとも一部を浸漬させ前記液溜め部の壁面との間に所定の間隔を隔てて回転可能に配置された非磁性材料からなる回転ドラムと、複数の磁石よりなる磁石層が外周面に形成され該回転ドラムの内部に配置された内筒とを備え、該回転ドラムの外周面と接触する液体中に含まれる磁性体を、該磁石層の磁力を用いて該液体中から分離回収する回転ドラム型磁気分離装置であって、前記磁性体の大きさに合わせて、前記回転ドラムと前記液溜め部の前記壁面との間の磁場積を調整するよう構成されていることを特徴とする。
【００１０】
本願発明者は、被加工品にシューマークの発生や加工精度の悪化の原因を調べていたところ、再生オイルに機械加工粉が残っており、これが加工部で攪乱を引き起こしているためであることが判明した。そこで、磁性体である機械加工粉の大きさに合わせて、回転ドラムと前記液溜め部の前記壁面との間の磁場積を調整するよう構成されていることで、再生オイルを用いた機械加工の加工精度が飛躍的に向上すると考えられる。
【００１１】
加工粉に及ぼす磁力は、加工粉の体積と、加工粉の磁化と、回転ドラム型磁気分離装置が発生する磁気勾配との積に比例する。加工粉の体積をＶ、加工粉の磁化をＭ、磁石層からの距離がｘである部位での次回の強さをＨとしたとき、回転ドラム型磁気分離装置が発生する磁気勾配はｄＨ／ｄｘで表される。磁石からの距離がｘである部位での加工粉に及ぼす磁力Ｆは、以下の関係がある。
【００１２】
Ｆ＝Ｖ・Ｍ・（ｄＨ／ｄｘ）・・・（１）
式（１）は、他の成分で表現することもできる。磁石の体積磁化率をχ、磁束密度をＢ透磁率をμ０、磁石層からの距離がｘである部位での磁束をＢとするとき、磁束密度の勾配はｄＢ／ｄｘであらわされる。
【００１３】
Ｍ・（ｄＨ／ｄｘ）＝χＢ・（ｄＨ／ｄｘ）＝χ／μ０・Ｂ・（ｄＢ／ｄｘ）・・・（２）
という関係がある。この中、磁場に関する項は、Ｂ・（ｄＢ／ｄｘ）である。Ｂ・（ｄＢ／ｄｘ）は、一般に磁場積と称されている。
【００１４】
磁気分離装置の回転ドラムと壁面との間には、液体が流通し得る液体通路が形成されている。液体流路での磁場積を、機械加工粉の大きさに合わせて調整することにより、効率よく機械加工粉を捕集することができる。
【００１５】
液体流路において、回転ドラムから最も離れた部位は、液体流路を挟んで回転ドラムと対面する壁面である。この壁面での磁場と磁気勾配が、加工粉除去率を高めるために重要である。
【００１６】
上記式（１）からわかるように、加工粉が小さくなると、加工粉に及ぼす磁力は小さくなる。例えば、加工粉が球であると仮定すると、加工粉の直径の３乗の逆数だけ、磁力が小さくなる。
【００１７】
図１５に示す従来のネオジウム磁石磁気分離装置では、直径５０μｍの加工粉が約７０％の捕集効率で捕捉されている。直径１５μｍの加工粉の体積は、直径５０μｍの加工粉の体積に対して１／３７と小さくなる。従って、従来の磁気分離装置では、小さめの加工粉に及ぼす磁力が小さく、加工粉を液体から捕集することが困難である。直径１５μｍの加工粉を捕集するためには、直径５０μｍの加工粉を捕集するときに必要な磁力を３７倍以上に大きくする必要がある。
【００１８】
加工粉に及ぼす磁力を大きくするには、加工粉の体積、加工粉の磁化、磁気勾配のいずれかを大きくする必要がある。この中、加工粉の体積Ｖと磁化Ｍは、加工粉側の要因である。磁力を高めるためには、装置側で決定される磁場積Ｂ・（ｄＢ／ｄｘ）の値を大きくする必要がある。
【００１９】
図１５に示す磁石配列をもつ磁気分離装置で、ネオジウム磁石を用いた場合に、磁場積Ｂ・（ｄＢ／ｄｘ）は０．６Ｔ２／ｍであった。上記のように直径１５μｍの加工粉を捕集するために、３７倍以上の磁場積Ｂ・（ｄＢ／ｄｘ）が必要とされる。
【００２０】
０．６Ｔ２／ｍ×３７＝２２．２Ｔ２／ｍ
このように、直径１５μｍの加工粉を捕集するためには、例えば、磁場積２２．２Ｔ２／ｍ以上の磁場が必要とされる。回転ドラムと壁面との間の液体流路において、磁場積２２．２Ｔ２／ｍ以上の磁場を発生させることで、加工粉の捕集率を高くすることができる。
【００２１】
１５μｍよりも小さい機械加工粉を捕集するためには、加工粉の体積Ｖが小さくなるため、２２．２Ｔ２／ｍよりも大きな磁場積が必要とされる。１５μｍを超えて大きい機械加工粉を捕集するためには、加工粉の体積Ｖが大きくなるため、２２．２Ｔ２／ｍよりも小さい磁場積でよい。
【００２２】
液体流路での磁場積を、機械加工粉の大きさに合わせて調整するために、例えば、回転ドラム型磁気分離装置が発生する磁気勾配ｄＨ／ｄｘを調整する。特に、回転ドラム型磁気分離装置が発生する磁界の強さＨを調整するとよい。具体的には、回転ドラム型磁気分離装置に設けられている磁石の磁化、配列、大きさ、形状、磁石層と液体流路との距離などを調整する。
【００２３】
また、加工粉に及ぼす磁力に影響するのは、加工粉の大きさだけでなく、加工粉の磁化Ｍも影響する。加工粉である磁性体の大きさだけでなく、磁性体の磁化Ｍも考慮して、回転ドラムと壁面との間の磁場積を調整するとよい。磁性体の磁化Ｍが小さい場合には、回転ドラムと壁面との間の磁場積を大きくし、磁性体の磁化Ｍが大きい場合には、磁場積を小さくすることがよい。
【００２４】
（２）前記回転ドラムと対向する前記壁面における磁場積を、前記磁性体を捕集し得る程度の磁場積以上とするよう構成されていることが好ましい。回転ドラムと対向する壁面は、回転ドラムと壁面との間の液体流路の中でも、回転ドラムから最も離れており、液体流路の中でも磁場積が最も小さい部位である。回転ドラムと対向する壁面における磁場積を、磁性体を捕集し得る程度の磁場積以上とすることで、回転ドラムと壁面との間の液体流路全体での磁場積を、磁性体を捕集し得る磁場積以上とすることができる。ゆえに、磁性体である機械加工粉を効率よく捕集することができる。
【００２５】
（３）前記磁石層は、前記内筒の半径方向を磁極方向とし該半径方向外側にＮ極が向いた複数の第一の磁石と、各該第一の磁石間に配置され該内筒の半径方向を磁極方向とし該半径方向内側にＮ極が向いた複数の第二の磁石と、該第一の磁石と該第二の磁石との間に配置され該内筒の周方向を磁極方向とし該周方向の一方側かつ該第一の磁石側にＮ極が向いた複数の第三の磁石と、該第一の磁石と該第二の磁石との間に配置され該内筒の周方向を磁極方向とし該周方向の他方側かつ該第一の磁石側にＮ極が向いた複数の第四の磁石と、が該内筒の周方向にハルバッハ配列で並ぶことにより形成されていることが好ましい。
【００２６】
ハルバッハ配列は、回転ドラムから離れた壁面近傍の液体流路において、図１５に示す従来の磁石配列の装置よりも、遙かに高い磁場積をもつ磁場を形成することができる。
【００２７】
この磁石層においては、第一の磁石のＮ極側から磁力線Ｈが外へ出て、この磁力線Ｈが第二の磁石のＳ極側に入り込むようになっている。第一の磁石、第三の磁石及び第四の磁石の各Ｎ極は、互いに同極同士で反発し合うように配置されており、また、第二の磁石、第三の磁石及び第四の磁石の各Ｓ極は、互いに同極同士で反発し合うように配置されている。これにより、各磁石から外に出る磁束、及び各磁石に入り込む磁束を、それぞれ著しく増大させることができる。このため、磁石層では、磁力を回転ドラムの外周面からより遠くまで及ぼすことが可能となっている。
【００２８】
（４）前記第一の磁石と前記第二の磁石とが互いに周方向で同じ幅ＨＡをもち、前記第三の磁石と前記第四の磁石とが互いに周方向で同じ幅ＨＢをもち、前記各第三の磁石と前記各第四の磁石の周方向の幅ＨＢに対する、前記各第一の磁石と前記各第二の磁石の周方向の幅ＨＡの比率（ＨＡ／ＨＢ）は、１／４以上であることが好ましい。
【００２９】
内筒の半径方向にＮＳ極を配置した第一、第二の磁石の周方向の幅ＨＡは、第三、第四の磁石の周方向の幅ＨＢに対して大きいほど、出力され又は入力される磁束線が多くなる。磁束線が多くなるほど、回転ドラムと壁面との間の液体流路での磁場積を大きくすることができる。
【００３０】
（５）前記第一の磁石と前記第二の磁石と前記第三の磁石と前記第四の磁石は、前記内筒の半径方向の厚みが、互いに同じであることが好ましい。
【００３１】
この場合には、第一、第二の磁石の径方向外側の表面を回転ドラムに近接させることができる。ゆえに、回転ドラムと壁面との間の液体流路での磁場積を大きくすることができる。
【００３２】
（６）前記第一の磁石、前記第二の磁石の径方向の長さに対する、前記第一の磁石、前記第二の磁石の周方向の幅の比率が０．８以上であることが好ましい。この場合には、第一、第二の磁石から発する磁力の磁束密度が大きくなり、液体中から機械加工粉を効率よく除去することができる。
【００３３】
（７）前記第三の磁石、前記第四の磁石の径方向の長さに対する、前記第三の磁石、前記第四の磁石の周方向の幅の比率が０．８以上であることが好ましい。この場合には、第三、第四の磁石から発する磁力の磁束密度が大きくなり、液体中から機械加工粉を効率よく除去することができる。
【００３４】
（８）前記第一の磁石、前記第二の磁石、前記第三の磁石及び前記第四の磁石の各形状は同一であることが好ましい。各磁石の形状が同じであるため、各磁石の磁化前までの製造工程を同じとすることができ、装置の製作性に優れる。
【発明の効果】
【００３５】
本発明の回転ドラム型磁気分離装置によれば、磁性体である機械加工粉の大きさに合わせて、回転ドラムと液溜め部の壁面との間の磁場積を調整するよう構成されている。このため、機械加工粉を液体から効果的に除去して、加工効率の高い再生液を得ることができる。
【図面の簡単な説明】
【００３６】
【図１】第一実施形態に係る回転ドラム型磁気分離装置を回転ドラムの回転軸に直交する面で切断した断面図である。
【図２】第一実施形態に係る回転ドラム型磁気分離装置の回転ドラムの内部構造を説明する断面図である。
【図３】第一実施形態に係る回転ドラム型磁気分離装置の内筒の斜視図である。
【図４】第一実施形態に係る回転ドラム型磁気分離装置の回転ドラムの内部構造の要部を拡大して説明する断面図である。
【図５】第一実施形態の磁石層の断面説明図である。
【図６】第二実施形態に係る回転ドラム型磁気分離装置の回転ドラムの内部構造の要部を拡大して説明する断面図である。
【図７】第一実施形態の第一、第二の磁石の周方向の幅を変化させたときの、底板近傍での磁場積を示す説明図である。
【図８】参考例１の磁気分離装置の回転ドラムの内部構造の要部を拡大して説明する断面図である。
【図９】実施例１と参考例１の磁気分離装置における、底板近傍での磁場積を示す説明図である。
【図１０】研削加工の方法を示すための説明図である。
【図１１】比較例１の研削加工の経過時間と被加工品の真円度との関係を示す線図である。
【図１２】実施例１の研削加工の経過時間と被加工品の真円度との関係を示す線図である。
【図１３】比較例１と実施例１の切削屑捕集率を示す図である。
【図１４】比較例１及び実施例１での、シューマークの発生数を示す図である。
【図１５】従来の回転ドラム型磁気分離装置の回転ドラムの内部構造の要部を拡大して説明する断面図である。
【発明を実施するための形態】
【００３７】
本発明の実施形態に係る回転ドラム型磁気分離装置について詳細に説明する。
【００３８】
図１〜図５に基づき、本発明の第一実施形態に係る回転ドラム型磁気分離装置について説明する。図１に示すように、本実施形態に係る回転ドラム型磁気分離装置Ｅは、本体１と、整流板２と、底板３と、回転ドラム４と、磁石層５と、内筒６と、絞りローラ７と、スクレーパ９０と、シュート９と、電動モータ１０とを備えている。本体１は箱形を呈しており、内部にクーラント（液体）を溜め置く液溜め部１ａが設けられている。本体１の図１中の右方には、使用済みのクーラントを本体１内に流入させる流入口１ｂが形成されており、本体１の図１中の左下方には、切削屑Ｗ（磁性体）が除去されたクーラントを本体１内から流出させる流出口１ｃが形成されている。
【００３９】
整流板２は、本体１内の上方から液溜め部１ａに向けて垂下した板部材である。流入口１ｂから本体１内に流入したクーラントは、整流板２に当たることにより流速が減衰して、液溜め部１ａに流下する。底板３は、液溜め部１ａの底面を形成する板部材である。図１に示すように、底板３は、回転ドラム４と所定の間隔を隔てて、回転ドラム４の外周の約１／３を下方から覆うように配設されている。磁石層３の外周を覆う回転ドラム４の外周面から底板３の底面までの間の距離は、クーラントを流すのに十分な寸法である。回転ドラム４と底板３との間には、クーラントを流通させる液体流路が形成されている。
【００４０】
回転ドラム４は、ステンレス鋼等の非磁性材料からなる円筒体をなしている。回転ドラム４は、液溜め部１ａを二分するように、また、回転ドラム４の下半分がクーラント中に浸漬するように、本体１の中央部近傍に略水平方向に軸を向けて配置されている。回転ドラム４は、電動モータ１０を動力源として中心軸Ｃの周りに図１中の反時計回り（左回り）に回転可能とされている。
【００４１】
外周面に磁石層５が形成された内筒６が回転ドラム４の内部に同軸的に固定されている。内筒６は、ステンレス鋼等の非磁性材料からなる円筒体をなしている。回転ドラム４の内周面と磁石層５の外周面との間には、回転ドラム４の回転中に、回転ドラム４の内周面と磁石層５の外周面とが接触しない程度の隙間が設けられている。
【００４２】
磁石層５は、回転ドラム４の液溜め部１ａに浸漬する部分から頂上部までの間、すなわち、回転ドラム４の外周の約３／４に相当する部分に対応する内筒６の外周面に形成されている。したがって、磁石層５の磁力は、回転ドラム４の外周の約３／４に相当する部分にのみ作用して、回転ドラム４の外周面近傍に所要の磁束を発生させる。内筒６の外周面のうち残りの約１／４に相当する部分には、磁石層５が形成されておらず、磁力が作用しないように構成されている。磁石層５の構成については後ほど詳述する。
【００４３】
回転ドラム４の頂上部近傍には、ゴム等の弾性体を表面に配してある絞りローラ７が設
けられている。絞りローラ７は、所定の押圧で回転ドラム４の外周面に当接している。回転ドラム４の外周面に磁着したクーラント中の切削屑Ｗは、回転ドラム４の回転に伴って回転ドラム４の頂上部に向けて搬送される。そして、回転ドラム４の外周面に磁着した切削屑Ｗが回転ドラム４と絞りローラ７との間を通過することにより、切削屑Ｗに含まれている液分が絞り取られる。
【００４４】
スクレーパ９０は、磁石層５の磁力が作用していない回転ドラム４の外周面に当接するように設けられている。絞りローラ７により液分が絞り取られた切削屑Ｗは、回転ドラム４の回転に伴って回転ドラム４の頂上部を通過して、頂上部を通過した時点で磁石層５の磁力から徐々に開放される。そして、回転ドラム４の回転に伴って、回転ドラム４の外周面に付着している切削屑Ｗがスクレーパ９０により掻き取られた後、切削屑Ｗは、スクレーパ９０の下方に設けられたシュート９を滑落して回収される。
【００４５】
図２〜４に基づき、磁石層５の構成について詳述する。図２に示すように、磁石層５の１列は、４個の第一の磁石５１と、４個の第二の磁石５２と、４個の第三の磁石５３と、４個の第四の磁石５４と、１個の第五の磁石５５とが内筒６の外周面の周方向に部分円弧状にハルバッハ配列で並ぶことにより形成されている。ここで、図２に示されている１個の第三の磁石５３及び１個の第四の磁石５４は、図３に示すように、それぞれ内筒６の中心軸Ｃ平行方向に並べられた３個の分割片よりなる。本説明において、１個の第三の磁石５３及び１個の第四の磁石５４とは、それぞれ３個の分割片が１セットとして並べられた状態のことを言う。図３に示すように、磁石層５全体は、上記の１列の磁石層５が内筒６の中心軸Ｃ平行方向に６列並んで配置されることにより形成されている。各磁石５１〜５４はネオジウム磁石である。
【００４６】
図２中に記載されているＮ及びＳの符号は、それぞれＮ極及びＳ極の位置を示している。図２に示すように、第一の磁石５１は、内筒６の半径方向を磁極方向とし半径方向外側にＮ極が向いている。第二の磁石５２は、各第一の磁石５１間に配置され内筒６の半径方向を磁極方向とし半径方向内側にＮ極が向いている。第三の磁石５３は、第一の磁石５１と第二の磁石５２との間に配置され内筒６の周方向を磁極方向とし周方向の一方側（図２中の時計回り側）かつ第一の磁石５１側にＮ極が向いている。第四の磁石５４は、第一の磁石５１と第二の磁石５２との間に配置され内筒６の周方向を磁極方向とし周方向の他方側（図２中の反時計回り側）かつ第一の磁石５１側にＮ極が向いている。第五の磁石５５は、第一の磁石５１と同様に、内筒６の半径方向を磁極方向とし半径方向外側にＮ極が向いている。
【００４７】
図２に示すように、第一の磁石５１、第二の磁石５２、第三の磁石５３及び第四の磁石５４の各断面形状は同一であり、円形のリングを円形の中心から均等角度で放射状に切ったような断面形状を呈している。したがって、これらの磁石は、磁石層５が部分円弧状に組み上がった状態で、磁石層５から任意の磁石を内筒６の半径方向外側に抜き取ることが可能な断面形状を呈している。第五の磁石５５の断面形状は、図２中の反時計回りに厚さが徐々に薄くなっていく形状を呈している。
【００４８】
磁石層５の１列は、図２中の反時計回りに、第一の磁石５１、第三の磁石５３、第二の磁石５２、第四の磁石５４の順番でこれら４種類の磁石が４回繰り返して配置された後、繰り返し末端の第四の磁石５４の隣に第五の磁石５５が配置されることにより形成されている。第五の磁石５５の厚さが徐々に薄くなっていることにより、回転ドラム４の外周面近傍に作用する磁力が、回転ドラム４の頂上部を図２中の反時計回りに通過した時点で徐々に弱まるようになっている。
【００４９】
図４における磁力線Ｈに示されているように、磁石層５においては、第一の磁石５１のＮ極から磁力線Ｈが外へ出て、この磁力線Ｈが第二の磁石５２のＳ極に入り込むようになっている。図４に示すように、第一の磁石５１、第三の磁石５３及び第四の磁石５４の各Ｎ極は、互いに同極同士で反発し合うように配置されており、また、第二の磁石５２、第三の磁石５３及び第四の磁石５４の各Ｓ極は、互いに同極同士で反発し合うように配置されている。これにより、磁石層５から外に出る磁束、及び磁石層５に入り込む磁束を、それぞれ著しく増大させることができる。このため、磁石層５では、磁力を回転ドラム４の外周面からより遠くまで及ぼすことが可能となっている。なお、ハルバッハ配列の磁石層５は、内筒６の材質に係わらず、内筒６の半径方向外側に向かう磁束が強く、内筒６の半径方向内側には磁束がほとんど形成されないという特徴がある。
【００５０】
図２及び図３に示すように、第一の磁石５１、第二の磁石５２、及び第五の磁石５５は、内筒６の外周面に固定されている。一方、第三の磁石５３及び第四の磁石５４は、内筒６の外周面に固定されていない。第三の磁石５３及び第四の磁石５４は、それぞれ第一の磁石５１及び第二の磁石５２の磁力により内筒６に当接するように付勢されている。したがって、磁石層５が組み上がった状態において、第三の磁石５３及び第四の磁石５４は、第一の磁石５１及び第二の磁石５２の磁力により、内筒６の半径方向外側に脱落することがないように保持されている。
【００５１】
磁石層５の１列の形成は、次のように行う。まず、第一の磁石５１、第二の磁石５２、及び第五の磁石５５を内筒６の外周面に固定する（図３参照）。そして、それぞれ３個の分割片が１セットとして並べられた第三の磁石５３及び第四の磁石５４を、第一の磁石５１と第二の磁石５２との間、及び第二の磁石５２と第五の磁石５５との間に挿入していく。このとき、内筒６の外周面に第三の磁石５３及び第四の磁石５４を接触させた状態で、第三の磁石５３及び第四の磁石５４をスライドさせつつ、内筒６の中心軸Ｃ平行方向から所定の組み付け位置に挿入する（図３参照）。この１列の磁石層５の形成を６回繰り返して行い、磁石層５全体を形成する。
【００５２】
第三の磁石５３及び第四の磁石５４の組み付け中及び組み付け完了後に、第三の磁石５３及び第四の磁石５４が、それぞれ第一の磁石５１及び第二の磁石５２の磁力により内筒６に当接するように付勢される作用について説明する。例えば、図４の中央に示されている第三の磁石５３に作用する磁気的作用力を考える。第三の磁石５３とこれに隣接する第一の磁石５１とは、内筒６の半径方向外側の点Ｐ１において同極同士で反発し合い、内筒６の半径方向内側の点Ｑ１において異極同士で引き合う。したがって、第三の磁石５３には、第一の磁石５１から反時計回りのモーメントＭ１が作用する。一方、第三の磁石５３とこれに隣接する第二の磁石５２とは、内筒６の半径方向外側の点Ｐ２において同極同士で反発し合い、内筒６の半径方向内側の点Ｑ２において異極同士で引き合う。したがって、第三の磁石５３には、第二の磁石５２から時計回りのモーメントＭ２が作用する。
【００５３】
よって、第三の磁石５３に作用する反時計回りのモーメントＭ１と時計回りのモーメントＭ２とが相殺されることにより、第三の磁石５３の回転は起こらない。また、第三の磁石５３が隣接する第一の磁石５１から受ける反発力と、第三の磁石５３が隣接する第二の磁石５２から受ける反発力とが相殺されて、第三の磁石５３は、回転することなく、第一の磁石５１及び第二の磁石５２の磁力による吸引力により内筒６に当接するように付勢される。第四の磁石５４とこれに隣接する第一の磁石５１及び第二の磁石５２との磁気的作用力についてもこれと同様に作用する。
【００５４】
このような本実施形態の構成によれば、内筒６の半径方向を磁極方向とする複数の第一の磁石５１及び第二の磁石５２と、内筒６の周方向を磁極方向とする複数の第三の磁石５３及び第四の磁石５４とが、ハルバッハ配列で並ぶことにより内筒６の外周面に磁石層５が形成されている。そして、第三の磁石５３及び第四の磁石５４は、第三の磁石５３及び第四の磁石５４に先行して内筒６に固定されている第一の磁石５１及び第二の磁石５２の磁力により内筒６に当接するように付勢されている。
【００５５】
したがって、内筒６の周方向に並んだ複数の磁石５１、５３、５２、５４、５５のうち一個おきに配置された磁石５１、５２、５５を内筒６に固定すればよいため、磁石の固定箇所数が少ないことにより内筒６への磁石の組み付け構造が簡素である。また、磁石の固定箇所数が少ないことにより磁石の組み付け手間が少ない。また、内筒６の周方向に並べる複数の磁石５１、５３、５２、５４、５５のうち一個おきに配置される磁石５１、５２、５５を先行して内筒６に固定するため、先行して固定する磁石同士の離隔が確保できる分、磁石同士の磁力による反発力及び吸引力が小さい。このため、磁石の組み付けを容易に行うことが可能である。
【００５６】
第一実施形態において、図５に示すように、第一、第二の磁石５１、５２の周方向の幅は互いに同じＨＡとし、第三、第四の磁石５３、５４の径方向中央部分の周方向の幅は互いに同じＨＢとした。周方向の幅ＨＡ、ＨＢは、各磁石の周方向の平均幅をいい、各磁石の径方向の中央部分での周方向の幅に等しい。
【００５７】
第一〜第四の磁石５１〜５４の径方向の長さＲはいずれも同じとした。いずれの磁石も、径方向の長さＲに対する周方向の幅ＨＡ又はＨＢの比率（ＨＡ／Ｒ、ＨＢ／Ｒ）は、１であり、略正方形断面形状を呈している。第一〜第四の磁石５１〜５４の断面形状は、正確には、径方向外側に向けて周方向の幅が徐々に拡大する扇形状を呈している。第一〜第四の磁石５１〜５４を１組の磁石群とする。
【００５８】
各磁石は、ネオジウム磁石である。捕集対象の大きさに合わせて、回転ドラム４と液溜め部１ａの底板３との間の磁場積を調整するように設定されている。具体的には、回転ドラム３と対向する底板３での磁場積が、捕集対象を捕集し得る程度の磁場積以上としている。捕集対象は、磁性体である機械加工粉である。磁石層５と底板３との距離がｘであり、回転ドラム４と対向する底板３表面における磁束密度をＢ、磁気勾配をｄＢ／ｄｘとしたときに、底板３表面での磁場積は、Ｂ・（ｄＢ／ｄｘ）で表される。
【００５９】
＜第二実施形態＞
本実施形態は、第一実施形態における磁石層５を磁石層５Ｋに変更した実施形態である。図６に本実施形態に係る回転ドラム型磁気分離装置の回転ドラムの内部構造の要部を拡大して説明する断面図を示す。本実施形態において第一実施形態と同様の構成部品については同一の符号を付してある。図６に示す回転ドラム４及び内筒６の構成については、第一実施形態において説明したとおりであるため、説明を省略し、以下、磁石層５Ｋの構成について詳述する。
【００６０】
磁石層５Ｋを構成する磁石の個数及び配列は、第一実施形態における磁石層５と同様である。図６に示すように、磁石層５Ｋの１列には、内筒６の外周面の周方向に部分円弧状にハルバッハ配列で並んだ複数の第一の磁石５１Ｋと、複数の第二の磁石５２Ｋと、複数の第三の磁石５３Ｋと、複数の第四の磁石５４Ｋとが含まれている。
【００６１】
図６に示す本実施形態における第一の磁石５１Ｋ、第二の磁石５２Ｋ、第三の磁石５３Ｋ及び第四の磁石５４Ｋと、図４に示した第一実施形態における第一の磁石５１、第二の磁石５２、第三の磁石５３及び第四の磁石５４とを、それぞれ対比すると、磁極方向及びＮ極の向きは等しく、形状のみが異なっている。
【００６２】
第一の磁石５１Ｋ及び第二の磁石５２Ｋの断面形状は同一であり、円形のリングをリングの内周側の周長が外周側の周長よりも短い略台形状に切ったような断面形状を呈している。第三の磁石５３Ｋ及び第四の磁石５４Ｋの断面形状は同一であり、円形のリングをリングの内周側の周長が外周側の周長よりも長い略台形状に切ったような断面形状を呈している。
【００６３】
第三の磁石５３Ｋ及び第四の磁石５４Ｋは、磁石層５Ｋが部分円弧状に組み上がった状態で、第一の磁石５１Ｋと第二の磁石５２Ｋとの間から内筒６の半径方向外側に抜き取ることが不可能な断面形状を呈している。このように第三の磁石５３Ｋ及び第四の磁石５４Ｋを内筒６の半径方向外側に抜き取ろうとしたときに、隣接する第一の磁石５１Ｋ及び第二の磁石５２Ｋと引っ掛かる部位は、本発明における引っ掛かり部に相当する。すなわち、本実施形態においては、第三の磁石５３Ｋ及び第四の磁石５４Ｋの略台形状の断面形状の斜辺部分が本発明における引っ掛かり部に相当する。磁石層５Ｋの形成方法は、第一実施形態における磁石層５と同様であるため説明を省略する。
【００６４】
図６における磁力線Ｈに示されているように、磁石層５Ｋにおいては、第一実施形態と同様に、第一の磁石５１ＫのＮ極から磁力線Ｈが外へ出て、この磁力線Ｈが第二の磁石５２ＫのＳ極に入り込むようになっている。また、第三の磁石５３Ｋ及び第四の磁石５４Ｋは、第一実施形態と同様に、それぞれ第一の磁石５１Ｋ及び第二の磁石５２Ｋの磁力により内筒６に当接するように付勢されている。この付勢力を生み出す磁気的作用力については第一実施形態で説明したとおりであるため説明を省略する。
【００６５】
第二実施形態においても、第一実施形態と同様に、第一、第二の磁石５１Ｋ、５２Ｋの周方向の幅ＨＡが、第三、第四の磁石５３Ｋ、５４Ｋの周方向の幅ＨＢと同じであり、これらの磁石５１Ｋ、５２Ｋ、５３Ｋ、５４Ｋの径方向の長さＲが同じである。その他、第一実施形態と同様の構成を有する。
【００６６】
＜その他の実施形態＞
本発明の回転ドラム型磁気分離装置は、上述した第一及び第二実施形態に限定されるものではなく、本発明の要旨を逸脱しない範囲において、当業者が行い得る変更、改良等を施した種々の形態にて実施することができることは言うまでもない。
【００６７】
例えば、第一及び第二実施形態においては、第一の磁石５１、５１Ｋ、及び第二の磁石５２、５２Ｋの周方向の幅ＨＡと、第三の磁石５３、５３Ｋ、及び第四の磁石５４、５４Ｋの周方向の幅ＨＢの比率（ＨＡ／ＨＢ）を１としているが、１以外の比率であってもよい。ＨＡ／ＨＢの下限は、０．８であることが好ましい。ＨＡ／ＨＢの下限が過小の場合には、底板近傍での磁場積が小さすぎ、加工粉の捕集率が低下するおそれがある。ＨＡ／ＨＢの上限が大きい場合には、周方向に配列する磁石群のインターバルが長くなり、加工粉の捕集機会が低下するおそれがある。
【００６８】
磁石の半径方向の長さＲに対する磁石の周方向の幅ＨＡ、ＨＢの比率（ＨＡ／Ｒ、ＨＢ／Ｒ）は、それぞれ１に近いことがよい。即ち、磁石の断面形状は略正方形に近いことが好ましい。この場合には、比較的小さい磁石で底板付近での磁場積を大きくすることができる。
【００６９】
また、第一及び第二実施形態においては、磁石はネオジウム磁石を用いているが、その他、例えば、フェライト磁石などを用いることも出来る。
【００７０】
第二実施形態においては、第三の磁石５３Ｋ及び第四の磁石５４Ｋの略台形状の断面形状の斜辺部分が本発明における引っ掛かり部に相当し、この引っ掛かり部が隣接する第一の磁石５１Ｋ及び第二の磁石５２Ｋと引っ掛かる構成としている。しかし、引っ掛かり部の形状はこれに限定されず、例えば、第三の磁石及び第四の磁石に、隣接する第一の磁石及び第二の磁石に向けて突出する凸部を設け、この凸部が第一の磁石及び第二の磁石に形成された凹部に嵌合する構成とすることもできる。
【００７１】
また、第一実施形態においては、第三の磁石５３及び第四の磁石５４は、第一の磁石５１及び第二の磁石５２の磁力により、内筒６の半径方向外側に脱落することがないように保持されている。また、第二実施形態においては、第三の磁石５３Ｋ及び第四の磁石５４Ｋは、第一の磁石５１Ｋ及び第二の磁石５２Ｋの磁力と、第一の磁石５１Ｋ及び第二の磁石５２Ｋとの引っ掛かりとにより、内筒６の半径方向外側に脱落することがないように保持されている。このような第三の磁石５３、５３Ｋ及び第四の磁石５４、５４Ｋの保持構成に対して、第三の磁石５３、５３Ｋ及び第四の磁石５４、５４Ｋの脱落をより確実に防止するための更なる構成を追加することもできる。
【００７２】
例えば、第三の磁石５３、５３Ｋ及び第四の磁石５４、５４Ｋを、これらの磁石の組み付け中は硬化することなく、組み付け完了後に硬化する接着剤により内筒６の外周面に接着することもできる。この場合、第三の磁石５３、５３Ｋ及び第四の磁石５４、５４Ｋの挿入に先立って、第三の磁石５３、５３Ｋ及び第四の磁石５４、５４Ｋの少なくとも内筒６の外周面に接触する表面に、上記の接着剤を塗布しておく。
【００７３】
このような構成によれば、第三の磁石５３、５３Ｋ及び第四の磁石５４、５４Ｋは、第一の磁石５１、５１Ｋ及び第二の磁石５２、５２Ｋの磁力により内筒６に当接するように付勢されているため、治具を用いることなく、接着剤が硬化するまで第三の磁石５３、５３Ｋ及び第四の磁石５４、５４Ｋを内筒６の所定の組み付け位置に保持することができる。また、第三の磁石５３、５３Ｋ及び第四の磁石５４、５４Ｋの組み付け中は接着剤が硬化しないため、磁石の位置決め時間に余裕がある。よって、磁石の組み付けを容易に行うことができる。また、ゆっくり硬化する接着剤としては、瞬間接着剤よりも、高接着力のものを使用することができる。このため、磁石の組み付け作業性の低下を招くことなく、磁石層５、５Ｋを構成する全ての磁石を内筒６の外周面に強固に固定することができる。
【実施例】
【００７４】
図４に示した第一実施形態のハルバッハ配列の磁石層５をもつ回転ドラム型磁気分離装置について、回転ドラム４と対面する底板３近傍での磁場積を求めた。磁場積を求めるにあたって、第一、第二の磁石５１、５２の周方向の幅を変化させた。
【００７５】
第三、第四の磁石５３、５４の周方向の幅ＨＢをＬと一定にした。第一〜第四の磁石５１〜５４の径方向の長さＲを、第三、第四の磁石５３、５４の周方向の幅ＨＢと同じＬと一定にした。第三、第四の磁石５３、５４の周方向の幅ＨＢに対する、第一、第二の磁石５１、５２の周方向の幅ＨＡの比率（ＨＡ／ＨＢ）を、０．５Ｌ、０．７５Ｌ、Ｌ、１．２５Ｌ、１．５Ｌと変化させた。回転ドラム４と対面する底板３近傍での磁場積Ｂ・（ｄＢ／ｄｘ）を表１及び図７に示した。
【００７６】
表１、図７に示すように、第一、第二の磁石５１、５２の周方向の幅ＨＡが大きくなるにつれて、磁場積が大きくなっていった。
【００７７】
また、各磁石の周方向の幅と径方向の長さとが等しいとき、即ち略正方形断面に近づくに連れて、加工粉を回収し得る程度の強さの磁束密度を維持しつつ、かつ、周方向の磁石の配列数を増やすことができる。回転ドラム４の周方向に短いピッチで第一〜第四の磁石５１〜５４を一群とする磁石群を多数繰り返して配置することができる。このため、前の磁石群で捕集し損なった加工粉を次の磁石群で捕集することができ、捕集機会が増えて、更に加工粉の捕集効率が高くなる。
【００７８】
また、第一〜第四の磁石５１〜５４の周方向の幅がすべて同じで、径方向の長さも全て同じ場合には、これらの磁石がすべて同じ形状で同じ大きさとなる。このため、磁化する前までの各磁石の製造を同一工程で行うことができ、装置の製造工数を削減できる。
【００７９】
【表１】
2015073956.tif 000003
【００８０】
＜参考例１＞
本参考例においては、図８に示すように、磁石層５Ｗを構成する各磁石がハルバッハ配列で配列している点は、第一実施形態と同様である。第一、第二磁石５１Ｗ、５２Ｗの周方向の幅ＨＡが０．２Ｌであり、径方向の長さＲＡが０．４Ｌである。第三、第四の磁石５３Ｗ、５４Ｗの周方向の幅ＨＢは０．８Ｌであり、径方向の長さＲＢはＬである。第一、第二の磁石５１Ｗ、５２Ｗの径方向外側には、第三、第四の磁石５３Ｗ、５４Ｗの間に、ＳＰＣＣで構成されているヨーク５５Ｗが挟設されている。その他は、第一実施形態と同様である。
【００８１】
第一実施形態は、図５に示すように、第一、第二、第三、第四の磁石５１、５２、５３、５４の周方向の幅ＨＡ、ＨＢはいずれもＬとし、径方向の長さＲはいずれもＬとして、これを実施例１とした。この実施例１と、図８に示す参考例１について、底板の近傍での磁場積を、図９に示した。
【００８２】
磁石層表面から底板の間のどの距離の地点においても、実施例１の方が、参考例１よりも磁場積が大きかった。図９に示すように、底板の近傍での磁場積についても、実施例１の方が、参考例１よりも３．４倍程度大きかった。
【００８３】
【表２】
2015073956.tif 000004
【００８４】
図４に示した第一実施形態のハルバッハ配列の磁石層５をもつ磁気分離装置を実施例１、図１５に示した通常配列の磁石層５Ｖをもつ磁気分離装置を比較例１とした。実施例１及び比較例１の磁気分離装置を用いて、使用後のクーラントから機械加工粉を除去した。図１０に示すように、機械加工粉を除去したクーラントを用いて、被加工品８９を回転させて、砥石８により研削加工を行った。被加工品８９は略円柱形状の鋼材であり、図略の回転台に回転可能に支持させた。回転する被加工品８９の周面は、２カ所でシュー８５、８６に支持され、他の箇所で回転する砥石８により研削加工される。被加工品８９の軸中心ｘは、被加工品８９の回転中心ｙと適宜オフセットした位置にあり、被加工品８９が回転すると、シュー８５、８６側に吸い込み力が働く。被加工品８９がシュー８５、８６に押し付けられることで、シュー８５、８６によって被加工品８９が保持される。研削加工される被加工品８９の周面は、連続的にクーラントが供給されて、研削点を冷却している。砥石８の内周面８ａは回転保持具８４で保持されている。
【００８５】
新品の砥石８と被加工品８９とを回転させながら、被加工品の軸方向の位置を移動させて、被加工品の研削加工を行った。被加工品を連続的に砥石で研削した。研削経過時間に対する被加工品の真円度を測定した。真円度は、被加工品が真円であると仮定したときに、研削後の被加工品の真円からの径方向の誤差をいう。真円度が０（ゼロ）のときには、研削後の被加工品は真円である。真円度が大きくなるほど、研削後の被加工品の寸法誤差が大きくなる。真円度８．０μｍは、砥石を目直しをする目安である。目直し直後の砥石の使用開始から目直しまでの期間を、ドレスインターバルという。
【００８６】
図１１、図１２は、それぞれ比較例１、実施例１の磁気分離装置により機械加工粉を除去したクーラントを用いて、同条件で研削加工を行ったときの被加工品の真円度を示す。各図のデータにおいて、ｎ＝２とした。
【００８７】
比較例１では、被加工品の真円度は徐々に大きくなり、１２０分後に真円度が８．０μｍに近づいた。比較例１のドレスインターバルは１２０分であった。
【００８８】
これに対して、実施例１では、被加工品の真円度は、目直し直後からほぼ安定に一定の低い値を維持した。１８０分経過後に、真円度が８．０μｍとなり、ドレス直前の状態となった。
【００８９】
また、図４に示す実施例１と、図１５に示す比較例１の磁気分離装置で、使用後のクーラントから切削屑を捕集した。捕集された切削屑のうち、材質：ＳＵＪ２（高炭素クロム軸受鋼鋼材）、所定の粒子径の切削屑の捕集率を調査した。所定の粒子径の切削屑の捕集率は、クーラント中に存在する所定の粒子径の切削屑全体を１００％としたときに、該切削屑のうちの捕集された該切削屑の割合（百分率）である。その結果を図１３に示した。
【００９０】
図１３に示すように、実施例１の磁気分離装置は、比較例１の磁気分離装置に比べて、所定の粒子径の切削屑の捕集率が格段に高かった。このため、砥石８のドレスインターバルが格段に長くなったと考えられる。
【００９１】
また、実施例１及び比較例１の磁気分離装置を用いて、使用後のクーラントから機械加工粉を除去して、クーラントを再生した。再生したクーラントを用いて、図１０に示すように、被加工品の研削加工を行った。１日当たりの使用時間を１６時間としたときの１ヶ月使用後のシューマーク発生回数を記録した。その結果を図１４に示した。比較例１では、６個のシューマークが発生した。これに対して、実施例１では、シューマークは発生しなかった。
【００９２】
この結果から、実施例１の磁気分離装置では、ハルバッハ配列の磁石層５は、回転ドラム４の外周面から離れた位置に存在している切削屑Ｗを、効率良く回転ドラム４の外周面に磁着させることができることが立証された。
【００９３】
よって、液体流路を流通するクーラント中の切削屑の大きさに合わせて、回転ドラムと液溜め部の底板との間の磁場積を調整することで、切削屑を効果的に捕集でき、砥石のドレスインターバルを長くすることができる。
【符号の説明】
【００９４】
１ａ  …  液溜め部                    ３  …  底板
４    …  回転ドラム                  ５、５Ｋ  …  磁石層
５１、５１Ｋ  …  第一の磁石          ５２、５２Ｋ  …  第二の磁石
５３、５３Ｋ  …  第三の磁石          ５４、５４Ｋ  …  第四の磁石
６    …  内筒
Ｃ    …  中心軸                      Ｅ    …  回転ドラム型磁気分離装置
Ｎ    …  Ｎ極                        Ｓ    …  Ｓ極
Ｗ    …  切削屑（磁性体）
【図１】
2015073956.tif 000005
【図２】
2015073956.tif 000006
【図３】
2015073956.tif 000007
【図４】
2015073956.tif 000008
【図５】
2015073956.tif 000009
【図６】
2015073956.tif 000010
【図７】
2015073956.tif 000011
【図８】
2015073956.tif 000012
【図９】
2015073956.tif 000013
【図１０】
2015073956.tif 000014
【図１１】
2015073956.tif 000015
【図１２】
2015073956.tif 000016
【図１３】
2015073956.tif 000017
【図１４】
2015073956.tif 000018
【図１５】
2015073956.tif 000019